(57)【要約】      （修正有）【課題】実装部品が減らされ、駆動回路のスペースが小さくされると共に、視認性の改善された携帯電話などの両面表示型の液晶表示装置を提供する。【解決手段】  液晶表示装置は、第１の液晶表示パネルと、第２の液晶表示パネルと、照明装置より構成される。第２の液晶表示パネルは、第１の液晶表示パネルよりも小さく、第１の液晶表示パネルに対向して配置される。また、第２の液晶表示パネルは、第１の液晶表示パネルとソース線などの駆動回路の一部を共有する。照明装置は、第１の液晶表示パネル及び第２の液晶表示パネルの背面側より照明する。このとき、第２の液晶表示パネルは、ノーマリーブラックモードとされる。このようにすることで、第２の液晶表示パネルが電圧無印加時の場合に、第１の液晶表示パネルの画面上に第２の液晶表示パネルの外縁が浮き上がることはなくなり、第１の液晶表示パネルの画面の表示品質を保持することができる。【選択図】図１
2007041187.tif 000002
【特許請求の範囲】
【請求項１】
第１の液晶表示パネルと、
前記第１の液晶表示パネルに対向して配置され、前記第１の液晶表示パネルよりも小さく、前記第１の液晶表示パネルと駆動回路の一部を共有してなる第２の液晶表示パネルと、
前記第１の液晶表示パネルと、前記第２の液晶表示パネルの間に配置され、夫々の液晶パネルの背面側より光を透過させる照明装置と、を有し、
前記第２の液晶表示パネルは、ノーマリーブラックモードとされることを特徴とする液晶表示装置。
【請求項２】
前記第１の液晶表示パネルは、第１の画素電極と、前記第１の画素電極に電気的に接続されてなる第１の配線と、を備え、
前記第２の液晶表示パネルは、第２の画素電極と、前記第２の画素電極に電気的に接続されてなる第２の配線と、を備え、
前記第１の配線と前記第２の配線は電気的に接続されてなり、前記第２の配線には、前記第１の配線を経由して信号が供給されてなることを特徴とする請求項１に記載の液晶表示装置。
【請求項３】
前記第１の液晶表示パネルは、ノーマリーブラックモードとされることを特徴とする請求項１又は２に記載の液晶表示装置。
【請求項４】
前記第１の液晶表示パネルは、ノーマリーホワイトモードとされ、
前記第２の液晶表示パネルで所定の表示を行うための駆動信号は、前記所定の表示を前記第１の液晶表示パネルで行う場合における駆動信号に対して反転した駆動信号とされることを特徴とする請求項１又は２に記載の液晶表示装置。
【請求項５】
前記第１の液晶表示パネルと前記第２の液晶表示パネルとで同じ表示を行う場合には、前記第１の液晶表示パネルの液晶層に印加される電圧が正の時、前記第２の液晶表示パネルの液晶層に印加される電圧は負となり、且つ前記第１の液晶表示パネルの液晶層に印加される電圧が負の時、前記第２の液晶表示パネルの液晶に印加される電圧は正となるように設定されてなることを特徴とする請求項４に記載の液晶表示装置。
【請求項６】
前記照明装置と、前記第２の液晶表示パネルの間には、透過する光量を減少させる半透過のシートが配置されてなることを特徴とする請求項１乃至５のいずれか一項に記載の液晶表示装置。
【請求項７】
請求項１乃至６のいずれか一項に記載の液晶表示装置を表示部に備えることを特徴とする電子機器。
【発明の詳細な説明】
【技術分野】
【０００１】
本発明は、いわゆる携帯用として用いられる両面表示型の液晶表示装置に関する。
【背景技術】
【０００２】
最近では、いわゆる両面表示型の携帯電話などが普及している。折り畳み式の携帯電話では、一般的に、操作ボタンなどが設けられた本体部に対して蝶番式に折り畳み可能に表示部（構造上、ふた側に相当する）が取り付けられており、表示部の内側（操作ボタンと対向する側）に大型の液晶表示パネルが設けられ、表示部の外側（背面側）に小型の液晶表示パネルが設けられている。即ち、大型の液晶表示パネルと小型の液晶表示パネルが背中合わせに設けられている。
【０００３】
しかしながら、このような両面表示型の液晶表示装置では、小型の液晶表示パネル側から外光を受けている時には、小型の液晶表示パネルの透過光が、大型の液晶表示パネル側に透過することとなる。このとき、大型の液晶表示パネルの表示面には、小型の液晶表示パネルの外縁が浮き上がって見えてしまい、大型の液晶表示パネルに表示される画像の視認性に悪影響が出てしまう。
【０００４】
上記の問題を解決するため、メイン表示パネルの表示が表示状態のときに、サブ表示パネルに電気を印加して黒色表示させるか、又は、サブ表示パネルを電気が印加されない状態で黒色表示（ノーマリーブラック）に設定する手法が提案されている（特許文献１参照）。
【０００５】
一方、両面表示型の液晶表示装置の一例として、小型の液晶表示パネルと大型の液晶表示パネルとが配線で接続され、一方の液晶表示パネルに設けられた１つのドライバによって、小型の液晶表示パネル及び大型の液晶表示パネルの両方が駆動される液晶表示装置がある（特許文献２参照）。
【０００６】
【特許文献１】特開２００４−７８０４７号公報
【特許文献２】特開２００４−６１８９２号公報
【発明の開示】
【発明が解決しようとする課題】
【０００７】
上記特許文献２に記載の液晶表示装置では、配線の数やドライバなどの実装部品の数を少なくすることができ、また、駆動回路のスペースを小さくすることができる点で利点を有するが、上述した両面表示型の液晶表示装置特有の問題も欠点として有する。
【０００８】
本発明は上記の点に鑑みてなされたものであり、実装部品が減らされ、駆動回路のスペースが小さくされると共に、視認性の改善された液晶表示装置を提供することを課題とする。
【課題を解決するための手段】
【０００９】
本発明の１つの観点では、液晶表示装置は、第１の液晶表示パネルと、前記第１の液晶表示パネルに対向して配置され、前記第１の液晶表示パネルよりも小さく、前記第１の液晶表示パネルと駆動回路の一部を共有してなる第２の液晶表示パネルと、前記第１の液晶表示パネルと、前記第２の液晶表示パネルの間に配置され、夫々の液晶パネルの背面側より光を透過させる照明装置と、を有し、前記第２の液晶表示パネルは、ノーマリーブラックモードとされる。
【００１０】
上記の液晶表示装置は、第１の液晶表示パネルと、第２の液晶表示パネルと、照明装置より構成される。例えば、携帯電話などの両面表示型の液晶表示装置でいうと、前記第１の液晶表示パネルは、メイン表示パネルに該当し、前記第２の液晶表示パネルは、サブ表示パネルに該当する。従って、前記第２の液晶表示パネルは、前記第１の液晶表示パネルよりも小さく、前記第１の液晶表示パネルに対向して配置される。また、前記第２の液晶表示パネルは、前記第１の液晶表示パネルとソース線などの駆動回路の一部を共有する。照明装置は、前記第１の液晶表示パネル及び前記第２の液晶表示パネルを、夫々の背面側より光を透過させることにより、照明する。このとき、前記第２の液晶表示パネルは、ノーマリーブラックモードとされる。このようにすることで、前記第２の液晶表示パネルが電圧無印加時の場合に、前記第２の液晶表示パネルより透過光が入射して、前記第１の液晶表示パネルの画面上に第２の液晶表示パネルの外縁が浮き上がることはなくなる。これにより、第１の液晶表示パネルの画面の表示品質の保持を図ることができる。
【００１１】
上記の液晶表示装置の一態様は、前記第１の液晶表示パネルは、第１の画素電極と、前記第１の画素電極に電気的に接続されてなる第１の配線と、を備え、前記第２の液晶表示パネルは、第２の画素電極と、前記第２の画素電極に電気的に接続されてなる第２の配線と、を備え、前記第１の配線と前記第２の配線は電気的に接続されてなり、前記第２の配線には、前記第１の配線を経由して信号が供給されてなる。前記第１の配線は、例えば、前記第１の液晶表示パネルのソース線であり、前記第２の配線は、例えば、前記第２の液晶表示パネルのソース線である。このようにすることで、配線の数やドライバなどの実装部品の数を少なくすることができ、また、駆動回路のスペースを小さくすることができる。
【００１２】
上記の液晶表示装置の他の一態様は、前記第１の液晶表示パネルは、ノーマリーブラックモードとされる。これにより、前記第１の液晶表示パネルで画像を表示する場合においても、前記第２の液晶表示パネルで画像を表示する場合においても、それぞれの場合に分けて印加する電圧の駆動制御を行う必要がなくなる。
【００１３】
上記の液晶表示装置の他の一態様は、前記第１の液晶表示パネルは、ノーマリーホワイトモードとされ、前記第２の液晶表示パネルで所定の表示を行うための駆動信号は、前記所定の表示を前記第１の液晶表示パネルで行う場合における駆動信号に対して反転した駆動信号とされる。これにより、前記第１の液晶表示パネル及び前記第２の液晶表示パネルの両方に対し、適切に画像を表示することができる。
【００１４】
上記の液晶表示装置の好適な実施例は、前記第１の液晶表示パネルと前記第２の液晶表示パネルとで同じ表示を行う場合には、前記第１の液晶表示パネルの液晶層に印加される電圧が正の時、前記第２の液晶表示パネルの液晶層に印加される電圧は負となり、且つ前記第１の液晶表示パネルの液晶層に印加される電圧が負の時、前記第２の液晶表示パネルの液晶に印加される電圧は正となるように設定されてなることを特徴とする。
【００１５】
上記の液晶表示装置の他の一態様は、前記照明装置と、前記第２の液晶表示パネルの間には、透過する光量を削減する半透過のシートが配置されてなる。ここでいうシートとは、例えば、黒色遮光シートであり、透過光を完全に遮光するものではなく、透過光の光量を削減するものである。これにより、第２の液晶表示パネル側より外光が入射しても、第１の液晶表示パネルに透過する外光の光量を減らすことができる。
【００１６】
本発明のさらなる他の観点では、上記の液晶表示装置を表示部に備えることを特徴とする電子機器を構成することができる。
【発明を実施するための最良の形態】
【００１７】
以下、図面を参照して本発明の好適な実施形態について説明する。尚、以下の実施形態は、本発明を液晶表示装置に適用したものである。
【００１８】
[液晶表示装置]
図１は本実施形態に係る液晶表示装置１００の概略構成を示す側面図である。なお、図１では説明の便宜上、各構成要素の間隔を開けて図示しているが、実際にはそれらは図中の上下方向に重ねられた状態で液晶表示装置１００を構成している。
【００１９】
液晶表示装置１００はいわゆる両面表示型の装置であり、光源部１５と導光板１１により構成される１つの照明装置９の上下に液晶表示パネル２０及び３０を配置してなる。光源部１５は、点光源である複数のＬＥＤ１６を備える。各ＬＥＤ１６から出射された光Ｌは図示のように導光板１１内へ入り、導光板１１の上下面で反射を繰り返すことにより方向を変え、導光板１１の上下面から照明光Ｌａ及びＬｂとして外部へ出射する。
【００２０】
液晶表示パネル２０は、両面表示型の携帯電話で言えば、メイン表示パネルに対応し、導光板１１の発光面積とほぼ同一の表示面積を有する。液晶表示パネル２０は、ガラスなどの基板１ａ及び２ａを、シール材３ａを介して貼り合わせてセル構造を形成し、その内部に液晶４ａを封入して構成される。なお、本発明では、液晶表示パネルの構造には特に制限はない。
【００２１】
照明装置９と液晶表示パネル２０との間には、プリズムシート１２ａが設けられる。プリズムシート１２ａは、導光板１１より出射された光Ｌａを液晶表示パネル２０に集光する役割を有し、断面が略三角形のプリズム形状を一辺の方向（当該断面と垂直な辺の方向）に延在させた形状を有する。これにより、導光板１１から出射した光Ｌａはプリズムシート１２ａを経て液晶表示パネル２０を照明する。
【００２２】
一方、液晶表示パネル３０は液晶表示パネル２０よりも小型であり、液晶表示パネル２０よりも表示面積が小さいパネルである。液晶表示パネル３０は、両面表示型の携帯電話で言えば、サブ表示パネル（メイン表示パネルの背面に設けられた小型の表示パネル）に相当する。液晶表示パネル３０もガラスなどの基板１ｂ及び２ｂを、シール材３ｂを介して貼り合わせ、その内部に液晶４ｂを封入して構成される。なお、本発明では液晶表示パネル３０の構成は特定のものに限定されない。
【００２３】
液晶表示パネル３０と導光板１０との間には、黒色遮光シート１４及びプリズムシート１２ｂが設けられる。黒色遮光シート１４は、完全に光を遮光するのではなく、入射した光Ｌｂの光量を減らす役割を有する半透過のシートである。プリズムシート１２ｂはその光を集光して液晶表示パネル３０に導く。これにより液晶表示パネル３０の表示領域が照明される。黒色遮光シート１４を設けることにより、液晶表示パネル３０側より外光が入射しても、液晶表示パネル２０に透過する外光の光量を減らすことができる。
【００２４】
液晶表示パネル２０には、ＣＯＧ（Chip On Glass）技術により、液晶駆動用ＩＣ（ドライバ）たるドライバＩＣ４０が直接実装されている。液晶表示パネル２０の駆動回路は、ドライバＩＣ４０によって駆動される。液晶表示パネル２０には出力端子１７ａが実装され、液晶表示パネル３０には入力端子１７ｂが実装される。液晶表示パネル３０は、出力端子１７ａ、入力端子１７ｂを結ぶＦＰＣ（Flexible Printed Circuit）１３によって、液晶表示パネル２０と電気的に接続されており、液晶表示パネル３０の駆動回路もドライバＩＣ４０によって駆動される。
【００２５】
次に、液晶表示パネル２０及び３０の駆動回路の構成について、具体的に述べる。図２は、本実施形態に係る液晶表示パネル２０及び３０の概略構成を模式的に示す平面図であり、図３は、液晶表示パネル２０の断面図であり、図４は、液晶表示パネル３０の断面図である。本実施形態に係る液晶表示装置では、液晶表示パネル２０及び３０は、図３、図４に示すように、同じ構造を有する液晶表示パネルであるとされる。
【００２６】
図２では、紙面手前側（観察側）に液晶表示パネル２０及び３０のカラーフィルタ基板９２ａ、９２ｂが、また、紙面奥側に液晶表示パネル２０及び３０の素子基板９１ａ、９１ｂが夫々配置されている。なお、図２では、紙面縦方向（列方向）をＹ方向と、また、紙面横方向（行方向）をＸ方向と規定する。また、図２において、Ｒ（赤）、Ｇ（緑）、Ｂ（青）に対応する各領域は１つのサブ画素領域ＳＧを示していると共に、Ｒ、Ｇ、Ｂに対応する１行３列のサブ画素領域ＳＧは、１つの画素領域ＡＧを示している。従って、画素領域ＡＧは、Ｒ、Ｇ、Ｂで構成されている。
【００２７】
液晶表示パネル２０は、図３に示すように、素子基板９１ａと、その素子基板９１ａに対向して配置されるカラーフィルタ基板９２ａとが枠状のシール材３ａを介して貼り合わされ、そのシール材３ａの内側に液晶が封入されて液晶層４ａが形成されてなる。
【００２８】
液晶表示パネル３０は、図４に示すように、素子基板９１ｂと、その素子基板９１ｂに対向して配置されるカラーフィルタ基板９２ｂとが枠状のシール材３ｂを介して貼り合わされ、そのシール材３ｂの内側に液晶が封入されて液晶層４ｂが形成されてなる。
【００２９】
ここに、液晶表示パネル２０及び３０は、Ｒ、Ｇ、Ｂの３色を用いて構成されるカラー表示用の液晶装置であると共に、スイッチング素子としてＴＦＴ素子を用いたアクティブマトリクス駆動方式の液晶装置である。
【００３０】
まず、素子基板９１ａの平面構成について説明する。素子基板９１ａの内面上には、主として、複数のソース線３２、複数のゲート線３３、複数のＴＦＴ素子２１、複数の画素電極１０、ドライバＩＣ４０、外部接続用配線３５及びＦＰＣ（Flexible Printed Circuit）４１などが形成若しくは実装されている。
【００３１】
図２に示すように、素子基板９１ａは、カラーフィルタ基板９２ａの一辺側から外側へ張り出してなる張り出し領域３１を有しており、その張り出し領域３１上には、ドライバＩＣ４０が実装されている。ドライバＩＣ４０の入力側の端子（図示略）は、複数の外部接続用配線３５の一端側と電気的に接続されていると共に、複数の外部接続用配線３５の他端側はＦＰＣ４１と電気的に接続されている。各ソース線３２は、Ｙ方向に延在するように且つＸ方向に適宜の間隔をおいて形成されており、各ソース線３２の一端側は、ドライバＩＣ４０の出力側の端子（図示略）に電気的に接続されている。
【００３２】
各ゲート線３３は、Ｙ方向に延在するように形成された第１配線３３ａと、その第１配線３３ａの終端部からＸ方向に延在するように形成された第２配線３３ｂとを備えている。各ゲート線３３の第２配線３３ｂは、各ソース線３２と交差する方向、即ちＸ方向に延在するように且つＹ方向に適宜の間隔をおいて形成されており、各ゲート線３３の第１配線３３ａの一端側は、ドライバＩＣ４０の出力側の端子（図示略）に電気的に接続されている。各ソース線３２と各ゲート線３３の第２配線３３ｂの交差点に対応する位置にはＴＦＴ素子２１が設けられており、各ＴＦＴ素子２１は各ソース線３２、各ゲート線３３及び各画素電極１０等に電気的に接続されている。各ＴＦＴ素子２１及び各画素電極１０は、各サブ画素領域ＳＧに対応する位置に設けられている。各画素電極１０は、例えばＩＴＯ（Indium-Tin Oxide）などの透明導電材料により形成されている。
【００３３】
液晶表示パネル２０では、１つの画素領域ＡＧがＸ方向及びＹ方向に複数個、マトリクス状に並べられた領域が有効表示領域Ｖａ（２点鎖線により囲まれる領域）である。この有効表示領域Ｖａに、文字、数字、図形等の画像が表示される。
【００３４】
次に、素子基板９１ｂの平面構成について説明する。素子基板９１ｂの内面上には、主として、複数のソース線３６、複数のゲート線３４、複数のＴＦＴ素子２１、複数の画素電極１０などが形成若しくは実装されている。
【００３５】
素子基板９１ｂには、入力端子１７ｂが設けられており、素子基板９１ａには、出力端子１７ａが設けられている。出力端子１７ａと入力端子１７ｂは、ＦＰＣ１３で互いに電気的に接続されている。素子基板９１ｂには、先に述べた素子基板９１ａにおけるのと同様の形状で、ゲート線３４、ソース線３６が形成されている。ゲート線３４は、ＦＰＣ１３を介して、素子基板９１ａに実装されたドライバＩＣ４０と接続されている。ソース線３６は、素子基板９１ａに形成されたｎ本のソース線３２のうち、ｋ本（ｋは自然数、但しｋ≦ｎ）のソース線３２と、ＦＰＣ１３を介して接続されている。言い換えれば、ソース線３６は、ソース線３２を延長したものであるといえるので、素子基板９１ｂは、素子基板９１ａとソース線３２を共有してなる構造を有するといえる。
【００３６】
液晶表示パネル３０においても、１つの画素領域ＡＧがＸ方向及びＹ方向に複数個、マトリクス状に並べられた領域が有効表示領域Ｖｂ（２点鎖線により囲まれる領域）である。この有効表示領域Ｖｂに、文字、数字、図形等の画像が表示される。
【００３７】
次に、カラーフィルタ基板９２ａ、９２ｂの平面構成について説明する。カラーフィルタ基板９２ａ、９２ｂは、遮光層（一般に「ブラックマトリクス」と呼ばれ、以下では、単に「ＢＭ」と略記する）、Ｒ、Ｇ、Ｂの３色の着色層６Ｒ、６Ｇ、６Ｂ、及び共通電極８ａ、８ｂなどを有する。なお、以下の説明において、色を問わずに着色層を指す場合は単に「着色層６」と記し、色を区別して着色層を指す場合は「着色層６Ｒ」などと記す。ＢＭは、各サブ画素領域ＳＧを区画する位置に形成されている。共通電極８ａ、８ｂは、画素電極と同様にＩＴＯなどの透明導電材料からなり、カラーフィルタ基板９２ａ、９２ｂの略一面に亘って形成されている。共通電極８ａ、８ｂは、シール材３ａ、３ｂの隅の領域Ｅ１、Ｅ２において配線２６の一端側と電気的に接続されていると共に、当該配線２６の他端側は、ドライバＩＣ４０のＣＯＭに対応する出力端子と電気的に接続されている。
【００３８】
以上の構成を有する液晶表示装置１００では、液晶表示パネル２０を表示する場合には、電子機器等と接続されたＦＰＣ４１側からの信号及び電力等に基づき、ドライバＩＣ４０によって、Ｇ１、Ｇ２、・・・、Ｇｍ−１、Ｇｍ（ｍは自然数）の順にゲート線３３が順次排他的に１本ずつ選択されるとともに、選択されたゲート線３３には、選択電圧のゲート信号が供給される一方、他の非選択のゲート線３３には、非選択電圧のゲート信号が供給される。そして、ドライバＩＣ４０は、選択されたゲート線３３に対応する位置にある画素電極１０に対し、表示内容に応じたソース信号を、それぞれ対応するＳ１、Ｓ２、・・・、Ｓｎ−１、Ｓｎ（ｎは自然数）のソース線３２及びＴＦＴ素子２１を介して供給する。その結果、液晶層４ａの表示状態が、非表示状態または中間表示状態に切り替えられ、液晶層４ａの配向状態が制御されることとなる。
【００３９】
一方、液晶表示パネル３０を表示する場合には、電子機器等と接続されたＦＰＣ４１側からの信号及び電力等に基づき、ドライバＩＣ４０によって、ＧＳ１、ＧＳ２、・・・、ＧＳｌ−１、ＧＳｌ（ｌは自然数）の順にゲート線３４が順次排他的に１本ずつ選択されるとともに、選択されたゲート線３４には、選択電圧のゲート信号が供給される一方、他の非選択のゲート線３４には、非選択電圧のゲート信号が供給される。そして、ドライバＩＣ４０は、選択されたゲート線３３に対応する位置にある画素電極１０に対し、表示内容に応じたソース信号を、それぞれ対応するＳ１、Ｓ２、・・・、Ｓｋ（ｎは自然数、但しｋ≦ｎ）のソース線３２及びＴＦＴ素子２１を介して供給する。その結果、液晶層４ｂの表示状態が、非表示状態または中間表示状態に切り替えられ、液晶層４ｂの配向状態が制御されることとなる。
【００４０】
なお、図３、図４に示すように、本実施形態に係る液晶表示パネル２０、３０は、完全透過型の液晶表示パネルとして示しているが、液晶表示パネル２０、３０としては、これに限られず、半透過反射型の液晶表示パネルを用いてもよい。また、スイッチング素子としては、ＴＦＴ素子２１を用いるとしているが、これに限られず、ＴＦＤ素子を用いてもよい。
【００４１】
さらに、本実施形態に係る液晶表示装置１００では、ドライバＩＣ４０をメイン表示パネルたる液晶表示パネル２０に実装することとしているが、これに限られず、ドライバＩＣ４０をサブ表示パネルたる液晶表示パネル３０に実装することとしてもよい。
【００４２】
以上をまとめると、本実施形態に係る液晶表示装置１００では、液晶表示パネル２０及び３０は、ＦＰＣ１３によって電気的に接続され、ソース線３２を共有してなる構造を有している。また、液晶表示パネル２０及び３０は、１つのドライバＩＣ４０によって駆動制御される。このようにすることで、配線の数やドライバなどの実装部品の数を少なくすることができ、また、駆動回路のスペースを小さくすることができる。
【００４３】
図３、図４に示すように、液晶表示パネル２０及び３０には、それぞれ下偏光板１８ａ、１８ｂ、上偏光板１９ａ、１９ｂがそれぞれ備えられる。ここで、本実施形態に係る液晶表示装置１００では、液晶表示パネル３０は、常に、電圧無印加時に黒表示になり、電圧印加時に白表示になるノーマリーブラックモードとされる。従って、図４に示す液晶層４ｂが、基板１ｂ、２ｂ間で、９０°液晶分子配列が捩れているツイステッドネマチック（ＴＮ）液晶層の場合には、下偏光板１８ｂ及び上偏光板１９ｂは、それぞれの透過軸がなす角度が０°となる配置、即ちパラレルニコルとなる配置とされる。このようにすることで、液晶表示パネル３０が電圧無印加時の場合に、液晶表示パネル３０より透過光が入射して、液晶表示パネル２０の画面上に液晶表示パネル３０の外縁が浮き上がることはなくなる。これにより、液晶表示パネル２０の画面の表示品質の保持を図ることができる。
【００４４】
[メイン表示パネルとの関係]
サブ表示パネルたる液晶表示パネル３０をノーマリーブラックモードにした場合、メイン表示パネルたる液晶表示パネル２０がノーマリーブラックモードか、ノーマリーホワイトモードかによって、液晶表示パネル２０及び３０の駆動回路の駆動方法は異なってくる。
【００４５】
ここで、液晶表示パネル２０及び３０の駆動回路の制御手段１１００について説明する。図５は、液晶表示パネル２０及び３０における制御手段１１００を示すブロック図である。制御手段１１００は、液晶表示パネル２０及び３０を搭載した電子機器内に設置されたマイクロコンピュータ等で構成される中央制御部１０００によって制御される。駆動回路１１０Ｄは、先に述べたゲート線３３、３４、ソース線３２、ＴＦＴ素子２１といった液晶表示パネルの駆動回路を示す。駆動回路１１０Ｄは、制御手段１１００に接続されている。制御手段１１００は、表示情報出力源１１１０と、表示処理回路１１２０と、電源回路１１３０と、タイミングジェネレータ１１４０とを有する。
【００４６】
表示情報出力源１１１０は、ＲＯＭ（Read Only Memory）やＲＡＭ（Random Access Memory）等からなるメモリと、磁気記録ディスクや光記録ディスク等からなるストレージユニットと、デジタル画像信号を同調出力する同調回路とを備え、タイミングジェネレータ１１４０によって生成された各種のクロック信号に基づいて、所定フォーマットの画像信号等の形で表示情報を表示情報処理回路１１２０に供給するように構成されている。
【００４７】
駆動回路１１０Ｄは、ゲート線駆動回路、ソース線線駆動回路及び検査回路を含む。表示情報処理回路１１２０は、シリアル−パラレル変換回路、増幅・反転回路、ローテーション回路、ガンマ補正回路、クランプ回路等の周知の各種回路を備え、入力した表示情報の処理を実行して、その画像情報をソース信号Ｓ_ｓｉｇ、液晶表示パネル２０のゲート信号Ｇ_ｓｉｇ、液晶表示パネル３０へのゲート信号ＧＳ_ｓｉｇとして、クロック信号ＣＬＫと共に駆動回路へ供給する。具体的には、ソース信号Ｓ_ｓｉｇは、ソース線３２に供給され、ゲート信号ＧＳ_ｓｉｇは、ゲート線３３に供給され、ゲート信号ＧＳ_ｓｉｇは、ゲート線３４へ供給される。また、電源回路１１３０は、上述の各構成要素にそれぞれ所定の電圧を供給する。
【００４８】
まず、液晶表示パネル２０及び液晶表示パネル３０のいずれもノーマリーブラックモードとされるときにおける駆動回路の駆動方法について述べる。
【００４９】
図６は、液晶表示パネル２０及び液晶表示パネル３０のいずれもノーマリーブラックモードとされる場合における、液晶層に電圧を印加する様子について示す駆動シーケンス図であり、横軸には、時間を示し、縦軸には、液晶層に印加する電圧をＯＮ（電圧印加）、ＯＦＦ（電圧無印加）で示している。図６（ａ）では、液晶表示パネル２０を、時間の経過と共に黒、白、黒、白と順次表示する様子を示したものであり、図６（ｂ）は、液晶表示パネル３０を、時間の経過と共に黒、白、黒、白と順次表示する様子を示したものである。図６（ａ）、（ｂ）より分かるように、液晶表示パネル２０と、液晶表示パネル３０で、時間の経過と共に黒、白、黒、白と順次表示する場合、それぞれ液晶表示パネルの液晶層に対し、印加する電圧の駆動のタイミングは、同じタイミングとなる。従って、液晶表示パネル２０で画像を表示する場合においても、液晶表示パネル３０で画像を表示する場合においても、それぞれの場合に分けて印加する電圧の駆動制御を行う必要はない。
【００５０】
次に、液晶表示パネル２０がノーマリーホワイトとされるときにおける駆動回路の駆動方法について述べる。ノーマリーホワイトモードとは、電圧無印加時に白表示になり、電圧印加時に黒表示になるモードのことである。従って、液晶表示パネル２０における液晶層４ａが、基板１ａ、２ａ間で、９０°液晶分子配列が捩れているツイステッドネマチック（ＴＮ）液晶層の場合には、下偏光板１８ａ及び上偏光板１９ａは、それぞれの透過軸がなす角度が９０°となる配置、即ちクロスニコルとなる配置とされる。
【００５１】
図７は、液晶表示パネル３０はノーマリーブラックモードとされる一方、液晶表示パネル２０はノーマリーホワイトモードとされる場合における、液晶層に電圧を印加する様子について示す駆動シーケンス図であり、横軸には、時間を示し、縦軸には、液晶層に印加する電圧をＯＮ（電圧印加）、ＯＦＦ（電圧無印加）で示している。図７（ａ）では、液晶表示パネル２０を、時間の経過と共に黒、白、黒、白と順次表示する様子を示したものであり、図７（ｂ）は、液晶表示パネル３０を、時間の経過と共に黒、白、黒、白と順次表示する様子を示したものである。図７（ａ）、（ｂ）より分かるように、液晶表示パネル２０と、液晶表示パネル３０で、時間の経過と共に黒、白、黒、白と順次表示する場合、それぞれの液晶層に対し、印加する電圧の駆動信号は、互いに反転している。従って、所定の画像を、液晶表示パネル２０で表示する場合と、液晶表示パネル３０で表示する場合とでは、駆動信号を反転させる必要がある。従って、表示情報処理回路１１２０では、液晶表示パネル２０で表示するための画像情報と、液晶表示パネル３０で表示させるための画像情報とでは、互いに駆動信号を反転させて駆動回路１１０Ｄへ供給する。具体的には、例えば、表示情報処理回路１１２０では、液晶表示パネル２０で表示されたのと同じ画像を、液晶表示パネル３０で表示する場合には、液晶表示パネル２０に送られた駆動信号を反転した信号を駆動回路１１０Ｄへ供給する。これにより、液晶表示パネル３０がノーマリーブラックとされているのに対し、液晶表示パネル２０がノーマリーホワイトとされた場合であっても、液晶表示パネル２０及び液晶表示パネル３０の両方に対し、適切に画像を表示することができる。
【００５２】
[変形例]
次に、本発明の変形例について述べる。図８は、本発明の変形例に係る液晶表示装置１００の概略構成を示す側面図である。図８に示すように、本発明の変形例に係る液晶表示装置１００では、導光板１１と液晶表示パネル２０の間には、拡散シート５１ａ、２枚のプリズムシート１２ａ１、１２ａ２が配置されている。２枚のプリズムシート１２ａ１、１２ａ２は、それぞれのプリズムシートのプリズム形状が延在する辺を直交させるように配置され、これにより、導光板１１から出射した光Ｌａの集光効率を向上させている。また、導光板１１と液晶表示パネル３０の間には、拡散シート５１ｂ、２枚のプリズムシート１２ｂ１、１２ｂ２が配置されている。２枚のプリズムシート１２ｂ１、１２ｂ２も、それぞれのプリズムシートのプリズム形状が延在する辺を直交させるように配置され、これにより、導光板１１から出射した光Ｌｂの集光効率を向上させている。さらに、導光板１１と液晶表示パネル３０の間には、黒色遮光シートの代わりに、反射偏光板６１が配置されている。反射偏光板６１は、ある方向に振動する光のみを透過し、それ以外の方向に振動する光を反射する。このような反射偏光板を用いても、黒色遮光シートを用いたときと同様、液晶表示パネル３０側より外光が入射した場合における、液晶表示パネル２０に透過する外光の光量を減らすことができる。
【００５３】
以上に述べた本発明の変形例の構成をとる液晶表示装置１００であっても、本発明を適用することができるのはいうまでもない。この本発明の変形例の構成は、一般的な液晶表示装置の構成となっているので、液晶表示パネル２０及び３０の表示画面は、見慣れた見栄えとなる。
【００５４】
[電子機器]
次に、本実施形態に係る液晶表示装置１００を適用可能な電子機器の具体例について図９を参照して説明する。
【００５５】
図９は、本発明に係る電子機器の一実施形態である携帯電話機２０００を示す。この携帯電話機２０００は、各種操作ボタンが設けられマイクを内蔵した本体部２００１と、表示画面やアンテナを備えスピーカを内蔵した表示部２００２とを有し、本体部２００１と表示部２００２とが相互に折りたたみ自在に構成されている。表示部２００２内には上記の表示装置１００が内蔵され、その内面上にはメイン側の液晶表示パネル２０の表示画面１１０が視認可能に構成され、また、外面上にはサブ側の液晶表示パネル３０の表示画面１３０が視認可能に構成されている。
【００５６】
本実施形態では、図９（ａ）に示すように本体部２００１から表示部２００２を開くことによって、上記中央制御部１０００からの指令によってメイン側の液晶表示パネル２０が点灯し、所定の画像が表示される。また、図９（ｂ）に示すように表示部２００２を本体部２００１上に折りたたむことにより、メイン側の液晶表示パネル２０が消灯し、代わりにサブ側の液晶表示パネル３０が点灯して所定の画像が表示されるように構成することもできる。
【図面の簡単な説明】
【００５７】
【図１】本実施形態に係る電気光学装置の構成を示す側面図である。
【図２】本実施形態に係る液晶表示パネルの平面図である。
【図３】本実施形態に係る液晶表示パネル（メイン表示パネル）の断面図を示している。
【図４】本実施形態に係る液晶表示パネル（サブ表示パネル）の断面図を示している。
【図５】液晶表示パネルにおける制御手段を示すブロック図である。
【図６】メイン表示パネルがノーマリーブラックのときの駆動シーケンス図である。
【図７】メイン表示パネルがノーマリーホワイトのときの駆動シーケンス図である。
【図８】本発明の変形例に係る液晶表示装置の構成を示す側面図である。
【図９】本実施形態の液晶表示装置を適用した電子機器の例を示す図である。
【符号の説明】
【００５８】
１１  導光板、  １４  黒色遮光シート、  ４０  ドライバＩＣ、  １３  ＦＰＣ、  １５  光源部、  １６  ＬＥＤ、  １２ａ、１２ｂ  プリズムシート、  ２０、３０  液晶表示パネル、  １００  液晶表示装置
【図１】
2007041187.tif 000003
【図２】
2007041187.tif 000004
【図３】
2007041187.tif 000005
【図４】
2007041187.tif 000006
【図５】
2007041187.tif 000007
【図６】
2007041187.tif 000008
【図７】
2007041187.tif 000009
【図８】
2007041187.tif 000010
【図９】
2007041187.tif 000011